【手続補正書】
【提出日】平成17年11月14日(2005.11.14)
【手続補正１】
【補正対象書類名】明細書
【補正対象項目名】特許請求の範囲
【補正方法】変更
【補正の内容】
【特許請求の範囲】
【請求項１】
タンクの内部に配置された反応容器マウンティングプレートによって支持される複数の反応容器が内部に設置されたタンク；
隣接して配置された反応容器の列を選択的に固定し、または、はずす、タンクの頂部に分離可能にマウントされた複数の蓋ブロック；さらに、
隣接して配置された反応容器の列から蓋ブロックリフター手段がはずされる時、隣接して配置された反応容器の列がさらされるように、各蓋ブロックを降下させ、または、上昇させて、隣接して配置された反応容器の列を別々に密封可能に固定し、またははずすための蓋ブロックリフター手段、
を有する化合物の複数同時合成装置。
【請求項２】
リアルタイムに各反応容器の反応条件を独立して制御する手段を更に含む請求項１記載の装置。
【請求項３】
各反応容器へ、および、各反応容器からリアルタイムに１又はそれ以上の物質を独立に運ぶ手段を更に含む請求項１記載の装置。
【請求項４】
各蓋ブロックが、
ストッパープレートの上面に配置された複数ストッパーであって、ストッパープレートの下面には複数の蓋マウントが配置され、蓋マウントのそれぞれは隣接するそれぞれのストッパーと密封可能に接触しており、ストッパーのそれぞれには複数のポートが設けられているストッパーを有し、
ストッパープレートにスライド可能にマウントされ、かつ、一直線となっているコネクタープレートであって、その中にそれらを通じて蓋マウントを通過させる複数の蓋マウント開口部を有するコネクタープレートを有し、さらに、
ストッパープレート上の各蓋マウントと対応した関係で配置される容器マウントであって、脱マウント可能に各反応容器にマウントされる各容器マウントと共に、密封可能に固定し、または、はずすためのコネクタープレートを往復運動させる手段、
を有する請求項１記載の装置。
【請求項５】
ストッパーの上部に第１ポート、第２ポート、第３ポート、第４ポート、第５ポートおよび第６ポートが提供される請求項４記載の装置。
【請求項６】
各蓋ブロックリフター手段が、
各蓋ブロックの各ストッパープレートのアーム端に結合されている第１アームおよびタンク上の溝に沿ってスライド可能に固定される第２アームを有し、各蓋ブロックリフター手段はさらに選択的に各蓋ブロックを上昇または低下させるために、第１および第２アームの間に位置するスイベル手段を有し、
蓋ブロックの下方に位置する反応容器にアクセスできるように蓋ブロックを上昇した開口位置で動かないようにするため、タンクに固定されるロックブラケットに固定するための蓋ブロックリフター手段の第２アーム上に設けられた第１移動止め、および、より低い位置でリードブロックを動かないようにするためロックブラケットに固定するための第２アーム上に配置される第２移動止めを含むロッキング手段を有し、さらに、
蓋ブロックが隣接した反応容器の列に密封可能に固定される時、蓋ブロックを固定するためにタンク上に配置されるロッカーアーム、
を有する請求項４記載の装置。
【請求項７】
リアルタイムに各反応容器の反応条件を独立して制御するための手段が、
各反応容器の反応温度検出手段、
複数の各反応容器の内容物の反応温度の制御手段、および、
各反応容器の反応器内容物の撹拌手段、
を含む請求項２記載の装置。
【請求項８】
複数反応容器における内容物の反応温度制御手段が、
熱移動媒体を効果的温度に加熱または冷却するための手段、
熱移動媒体を該効果的温度に維持するための手段、および、
複数反応容器の下部を加熱または冷却するために効果的な温度で熱移動媒体を反応容器マウンティングプレートの下のタンクの部分に供給するための手段、
を含む請求項７記載の装置。
【請求項９】
複数反応容器中の内容物の反応温度制御手段が、
加熱媒体を効果的温度に加熱する手段、
加熱媒体を効果的な温度に維持するための手段、
複数反応容器の下部を加熱するために効果的温度の加熱媒体を反応容器マウンティングプレートの下のタンクの部分に供給するための手段、
冷却媒体を効果的冷却温度に冷却するための手段、
冷却媒体を効果的冷却温度に維持するための手段、および、
複数反応容器の上部を冷却するために効果的冷却温度の冷却媒体を反応容器マウンティングプレートの上のタンクの部分に供給するための手段、
を含む、請求項７記載の装置。
【請求項１０】
反応器内容物の撹拌手段が、
各反応容器に配置された攪拌機、および、
各反応容器中で撹拌速度を調節するために各反応容器に配置された攪拌機を選択的に回転するための手段、
を含む請求項７記載の装置。
【請求項１１】
各反応容器中に配置される攪拌機を選択的に回転するための手段がタンク下部に位置する請求項１０記載の装置。
【請求項１２】
各反応容器中の反応条件をリアルタイムに独立して調節するための手段が、
各反応容器から反応器内容物の部分を化学的分析装置に運ぶための手段、および、
各反応容器内部の圧力を安全作業圧力以下に維持するための手段、
を更に含む請求項７記載の装置。
【請求項１３】
１又はそれ以上の物質を各反応容器へ、および各反応容器から運ぶための手段が、
１又はそれ以上の試薬供給手段および、１又はそれ以上の試薬を各反応容器へ選択的に運ぶために複数反応容器と連結する複数試薬輸送導管と接続された移送マニホルド
各反応容器に不活性ガスを供給する手段、および、
不活性ガスに同伴させて運ばれる各反応容器の揮発性留出物の濃縮手段、
を含む請求項３記載の装置。
【請求項１４】
１又はそれ以上の物質を各反応容器に運ぶための手段が、移送マニホルドと各試薬輸送導管との間に挿入された調節手段であって、複数反応容器に結合した移送マニホルドからの１又はそれ以上の試薬の供給を選択的に調節する手段をさらに含む請求項１３記載の装置。
【請求項１５】
反応器内容物がエフラックスを含んでいるときに反応器内容物を排出タンクへ流し、および反応器内容物が反応生成物を含むとき生成物コンテナに反応器内容物を流すための手段を含む、各反応容器から反応器内容物を回収する手段をさらに含む請求項１４記載の装置。
【請求項１６】
各反応容器から反応器内容物を回収する手段が、各反応容器内の液／液相分離レベルで反応器内容物を回収するために、前記手段の入口端部を配置する手段をさらに含む請求項１５記載の装置。
【請求項１７】
１又はそれ以上の反応容器が、反応容器内に置かれた固形支持体の損失を防ぐために該反応容器内に設置されたスクリーンをさらに含む請求項１記載の装置。
【請求項１８】
複数の反応容器マウンティングプレートをさらに含む請求項１記載の装置。
【請求項１９】
タンクの中に設置された複数の反応容器に１又はそれ以上の反応物を供給し、
各反応容器から空気を除去するために各反応容器に不活性ガスをスイープし、
１又はそれ以上の試薬の所望量を各反応容器に輸送し、
複数の反応容器を所望の反応温度に加熱し、
各反応容器の反応器内容物を所望の撹拌速度で所望の時間撹拌し、複数の反応容器に反応生成物を生成させ、さらに、
反応生成物を複数反応容器から回収すること、
を含む、複数化合物の同時合成のための方法。
【請求項２０】
複数の反応容器の上部を冷却することをさらに含む請求項１９記載の方法。
【請求項２１】
請求項１９記載の方法によって生成された反応生成物のライブラリー。